(57)【特許請求の範囲】
【請求項１】
銀メッキを施した化学繊維を素材として編んだ柔軟なネットを本体とし、前記本体の外周部の全周に全体を銀メッキした糸で編み前記本体よりも銀濃度が高く、前記本体よりも導電性が高くかつ単位面積あたりの重量が重い帯状の縁取りを設け、前記縁取りを設けた外周部の一箇所にリード線を接続することのできるクリップを取り付けるとともに、外周部の縁取り上の他の位置に金属板からなる接続端子を取り付けたことを特徴とする接地抵抗測定用補助電極。
【請求項２】
前記本体が、銀メッキを施した化学繊維と、銀メッキを施していない化学繊維とを組み合わせて編んだ柔軟なネットからなる請求項１に記載の接地抵抗測定用補助電極。
【請求項３】
前記本体のネットがラッシェル編みで編まれている請求項１又は請求項２に記載の接地抵抗測定用補助電極。
【発明の詳細な説明】
【技術分野】
【０００１】
本発明は、変圧器、避雷器、高圧機器等を取り付けた鉄塔、電柱等に付設されている接地極の接地抵抗を測定する場合に使用するに適した補助電極に関するものである。
【背景技術】
【０００２】
変圧器、避雷器、高圧機器等を取り付けた電柱には、漏電による事故を防ぐため、接地工事が法律で義務付けられている。この接地工事は、電柱位置の周辺に所定深さで接地部材を埋め込んで接地極とし、該接地極に接地線を接続することにより行われる。
【０００３】
従来、この接地部材の埋め込み工事は、金属棒等の接地部材をハンマ−で地中に打ち込み、埋め込んだ接地部材の接地抵抗を測定し、その抵抗値が規定値以下である場合は合格としている。
【０００４】
上記接地抵抗の測定は、図３に示すような方法で行われるのが一般的である。すなわち、被測定接地極１０１及び補助電極（接地棒）１０２，１０３をリード線１０５で測定器Ｍと接続し、被測定接地極１０１と補助電極１０３との間に電流（一般に交流が用いられる）を流して抵抗を測定する。この場合の被測定接地極１０１、補助電極１０２及び１０３間の距離Ｌは、５〜１０ｍ程度とする。
【０００５】
図４はこの測定原理を表すもので、被測定接地極１０１と補助電極１０３とを同図（ａ）に示すように電源１０７に接続すると、両極１０１，１０３間の電位降下は同図（ｂ）に示すようになる。この場合、両者の距離が十分長ければ、中央部分の電位は平らになるので、被測定接地極１０１の抵抗Ｒ1 による電位降下Ｅ1 と補助電極１０３の抵抗Ｒ2 による電位降下Ｅ2 が中央部分で明瞭に分離されることになる。したがって、この中央部分に別の補助電極１０２を設けて、被測定接地極１０１と該中央部分の補助電極１０２間の電位差Ｅ1 を測定すれば、Ｅ1 ＝ＩＲ1 の関係からＲ1 ＝Ｅ1 ／Ｉとなり、被測定接地極１０１の接地抵抗Ｒ1 が求められるのである。
【０００６】
上記接地抵抗測定用の補助電極としては、導電性に富んだ金属棒が用いられ、これを土中に打ち込んで測定するが、測定場所の地盤が乾燥した砂れき、コンクリート、岩盤等の場合は、金属棒からなる接地極（接地棒）を打ち込むことができないためうまく測定できないという問題があった。このため、金属製の網を地盤表面に被せて接地棒を載せ、その上から水をかけて測定する等の方法が採用されることもあった。
【０００７】
しかしながら、金属網は面積が広いうえ、硬くて変形しにくいので、運搬、保管等の取扱に不便であるほか、地盤に密着させるのが難しく、補助電極の接地抵抗が大きくなり過ぎて、正確な測定値が得られないという問題があった。
【０００８】
この問題を解決するため、本発明者等は、銀メッキを施した化学繊維を素材として編んだ柔軟なネットで構成される補助電極を開発し、既に特許出願している（下記特許文献１参照）。この補助電極は、実際に現場で広く実用され、好評を博している。
【先行技術文献】
【特許文献】
【０００９】
【特許文献１】特開平１１−９７０８７
【発明の概要】
【発明が解決しようとする課題】
【００１０】
しかしながら、上記新たに開発された補助電極は、リード線を接続するのが難しく、手間がかかるという問題点があった。本発明は、上記新たに開発された補助電極をさらに改良し、リード線との接続を簡単かつ確実にし、実用上極めて便利なものとすることを課題としている。
【課題を解決するための手段】
【００１１】
上記課題を解決するため、本発明は次のような構成を採用した。すなわち、本発明にかかる接地抵抗測定用補助電極は、銀メッキを施した化学繊維を素材として編んだ柔軟なネットを本体とし、前記本体の外周部の全周に全体を銀メッキした糸で編み前記本体よりも銀濃度が高く、前記本体よりも導電性が高くかつ単位面積あたりの重量が重い帯状の縁取りを設け、前記縁取りを設けた外周部の一箇所にリード線を接続することのできるクリップを取り付けるとともに、外周部の縁取り上の他の位置に金属板からなる接続端子を取り付けたことを特徴としている。
【００１２】
銀メッキを施した化学繊維は高価であるから、実際には、銀メッキを施した化学繊維と、銀メッキを施していない化学繊維とを組み合わせて編んだ柔軟なネットを本体とするのが経済的で好ましい。さらに、このネットにおける繊維と繊維が接触する交点は、互いの密着性を高くして、電気抵抗をできるだけ小さくする必要があるので、ネットの編み方としては、レース編み、魚網編み等が好ましく、特に、縦横の糸の交点が複雑に絡み合うラッシェル編みを採用するのが好ましい。この編み方によれば、交点がずれにくく、強度的にも優れている。また、ネットは、編み目が適度に開いている方が柔軟であり、地盤との密着性が良くなるので好ましい。
【発明の効果】
【００１３】
本発明の接地抵抗測定用補助電極は、本体が化学繊維を編んだ柔軟なネットであるから、地面や岩盤上に被せた場合にその凹凸によくなじみ、地盤等の表面に密着しやすい。しかも銀メッキを施した繊維を含んでいるので、導電性が良好で、接地抵抗測定に十分な接地効果が得られる。また、このネットからなる補助電極は柔軟であり、不使用時には小さく折り畳んでおくことができるので、取扱に便利なものである。
【００１４】
さらに、ネットからなる本体の外周部に導電性の高い縁取りを枠状に設けているので、外部のリード線の本体に対する接続が簡単で、リード線をこの縁取り部分に接続した場合に、ネット全体に対し良好な通電性を確保できる。また、この枠状の縁取りには、アース線接続用のクリップが取り付けられているので、接地工事現場で簡単にリード線を接続することができる。しかも、ネットからなる本体のコーナー部であって前記高電導性縁取りの適所に薄い金属板からなる接続端子が一体に設けられているので、接続すべきリード線の端部に接続用のクリップが設けられている場合は、当該クリップで、この部分を挟むことにより、簡単に電気的に接続できる。このようなクリップを設けず、リード線をこの部分に蝋付等で直接接続することもできる。
【図面の簡単な説明】
【００１５】
【図１】本発明の実施形態を例示する外観図である。
【図２】その要部の拡大図である。
【図３】従来の補助電極を用いた接地抵抗測定法の説明図である。
【図４】その原理を表す説明図である。
【図５】縁取り部分の取り付け方法を表す断面図である。
【発明を実施するための形態】
【００１６】
以下、本発明の実施の形態について具体的に説明する。この接地抵抗測定用補助電極Ｐは、図1、図２に示すように、自重で極めて容易にたわむほど柔軟なネットを本体１として備えている。本体１であるネットは、縦横の糸（本発明では化学繊維で構成される）ｆ，…を例えばレース編み、魚網編み、ラッシェル編み等の公知の編み方で編んだもので、縦横の糸の交点がしっかりと絡み合っている。本体１を構成するネットの網目ｄの大きさは、一辺の長さが数ｍｍ程度である。なお、網目ｄの形状は、多角形（三角形、四角形、…）でもよく、その他の形状でもよい。
【００１７】
上記縦横の糸は、導電性に富んだものであるのが好ましく、柔軟で強度の高い化学繊維（例えばポリエステル、ナイロン）に銀メッキを施したものが最も好ましい。銀メッキした化学繊維としては、ナイロン繊維に銀メッキを施したものが市販されており、これを利用するのが効果的である。しかしながら、経済的には、銀メッキした化学繊維と銀メッキしない化学繊維（ナイロン、ポリプロピレン、ポリエステル、ポリエチレン等）とを適当な割合で組み合わせて使用するのが好ましい。例えば、銀メッキしたナイロン（以下「メッキ糸」と呼ぶ）とメッキしない化学繊維（以下「非メッキ糸」と呼ぶ）の割合を１：１〜１：２程度に混合したものを好適に使用することができる。なお、銀メッキの代わりに銅メッキ、ニッケルメッキ等他の金属のメッキを採用することも可能ではあるが、実用上不安定であるので、銀メッキがもっとも好ましい。
【００１８】
ネットを構成する縦横の糸ｆの太さは１０〜１００デニール程度とするのが好ましいが、これに限定されるものではない。また、ネットからなる本体１の形状・寸法は、使用条件等に応じて適当なものとすればよい。通常は、一辺の長さ５０〜１００ｃｍの方形とするのが適当であろう。
【００１９】
本体１であるネットの外周部には、帯状の縁取り２が枠のように施されている。この縁取り２は、本体１よりも導電性の高いネット（シート）からなるテープ状のもので、例えばポリエステルの糸に銀メッキを施したものを本体１よりも密に編んだ布状のテープで構成されている。本体１のように、メッキを施さない糸は使用されず、全体が銀メッキ糸で構成されるので、導電性と単位面積あたりの重量は本体１よりも大幅に高くなっている。このテープからなる縁取り２用素材を、図５に示すように、その長手方向中央部で二つ折りし、本体１の外周部に被せてミシンで縫い付けている。このため、本体１の端縁部のほつれ等が生じにくく、耐久性が向上する。本体の表面上における縁取り２の幅は１〜１．５ｍｍ程度とするのが好ましい。
【００２０】
縁取り２は、枠状に本体1の全周にわたって形成されているが、その枠状の縁取りの一つのコーナー部に通電用のクリップ３が取り付けられている。このクリップ３は、縁取り２に接続されるもので、縁取り２に対し着脱可能としておくのが好ましい。例えば、縁取りに固着した接続端子に対し嵌合、螺着等で着脱できるようにしておくのが好ましい。図示例では、クリップ３がコーナー部に取り付けられていて、取扱に便利なものとなっているが、場合によっては、コーナー部に限らず、本体１の外周部の他の位置（適所）でもよい。クリップ３は、導線の接続に常用されているもので、その基部が前記導電性の高い縁取り２の部分に接続され、反対側の自由端部が、鰐口状の口となっている。このクリップは、口を開くためのレバーを備え、これを押圧することにより、トルクバネ（図示省略）の弾力に抗してクリップの口を開くことができる。
【００２１】
枠状の縁取り２の外周部の他の位置、図示例では前記クリップ取付け部以外の３箇所のコーナー部には、薄い導電性金属シート（板もしくは箔）からなる接続端子５が取り付けられている。接続端子５は、例えば縁取り２の部分にステープラー、リベット等の手段で固着しておけばよい。要は、縁取り２に対し電気的に接続されていればよい。図示例では、この接続端子５として、厚さ１ｍｍ以下の薄い銅板が使用されている。接続端子５は一辺の長さが数ｍｍ乃至数十ｍｍであり、図示例では概略長方形であるが、２辺にわたるカギ形でもよく、楕円形そのたの形状でもよい。この接続端子５は、３箇所に限らず、縁取り２における前記クリップ３を取り付けた部分以外の適所（コーナー部以外でも可）に適当数だけ設けておけばよい。
【００２２】
この接地抵抗測定用補助電極Ｐは、地盤上に被せて使用する。この場合、この補助電極自体が柔軟なネットからなるので、地盤の凹凸によく馴染み、地盤に対する密着性がよい。また、外周部に銀濃度が高く、重量の大きい縁取り２や、接続端子５が設けられているので、地盤に被せた場合に、捲れ上がったりしにくく、地盤に対する密着性が改善される。接地抵抗測定に際しては、本体１のコーナー部に取り付けた接続用クリップ３でリード線を接続してもよく、他のコーナー部に設けた接続端子５にリード線をロウ接等で接続してもよい。リード線の端部にクリップが取り付けられている場合は、このクリップで上記接続端子５を挟めばよい。なお、接地抵抗を低減するために、ネットの上から水をかけておくのが好ましい。測定が終わったら、柔軟な本体１を適当な大きさに折りたたんで、体積を小さくすることができる。
【実施例】
【００２３】
メッキ糸として、米国Ｓａｕｑｕｏｉｔ社製銀メッキナイロン繊維（商品名「Ｘ−ｓｔａｔｉｃ ３０ＸＳ１０」）を使用し、メッキしないナイロン繊維からなる非メッキ糸と１：１の割合で組み合わせてラッシェル編みでネットからなる素材を製作した。このネットは、電気抵抗が１００Ω以下であり、これを７０ｃｍ角に切り出して本体１とし、これにアース線を接続して、横河電気（株）社製接地抵抗計３２３５型を用いて被測定接地極の接地抵抗を測定したところ、岩盤上においてもうまく接地抵抗を測定することができた。
【産業上の利用可能性】
【００２４】
この接地抵抗測定用補助電極は、銀メッキを施した化学繊維を用いて編んだ柔軟なネットを主体とするもので、導電性に富んでいるばかりでなく、地盤に対する密着性が良好であり、従来の接地棒からなる補助電極を打ち込むことができない地盤においても接地抵抗を簡単かつ正確に測定することが可能となった。また、外周部に比重が大きく導電性の高い縁取りが設けられ、しかも導線接続用のクリップも適所に設けられているので、ネットが捲れあがりにくく、導線の接続にも便利である。
【符号の説明】
【００２５】
１ 本体
２ 縁取り
３ クリップ
５ 接続端子
Ｐ 補助電極
ｆ 糸（化学繊維）
ｄ 網目
Ｅ 接地端子
【図１】
0005730564.tif 000002
【図２】
0005730564.tif 000003
【図３】
0005730564.tif 000004
【図４】
0005730564.tif 000005
【図５】
0005730564.tif 000006